(57)【要約】      （修正有）【課題】熟練を要することなく、短時間かつ低価格で幾何学模様の仕上げができ、重量感を持つが軽量であり、テーブル表面が特殊模様の幾何学模様の表面を持つテーブルを提供する。【解決手段】長方形状、正方形状、三角形状、台形形状、菱形形状の樹脂製タイルの表面仕上げ材を各辺で隣接させて配置して幾何学模様を構成した星様、花様、ダイヤ様、多角形様、格子様、ヘリンボーン様の模様型状配列体を形成し、模様型状配列体は、複数組で互いに隣接する模様型状配列体に順次配置し、かつ基材上に形成した単位くり返し形状部材となり、単位くり返し形状部材は他の単位くり返し形状部材との外周に適合した外周枠体１０を有する特殊模様に仕上げた幾何学模様装飾表装材にし、幾何学模様装飾表装材を広幅な天板を持つテーブル２、カウンターの表面材の基本台座に嵌め込んでいる幾何学模様の天板１付きテーブル台である。【選択図】図１
0003228940.tif 000002
【実用新案登録請求の範囲】
【請求項１】
長方形状、正方形状、三角形状、台形形状、菱形形状の樹脂製タイルの表面仕上げ材を各辺で隣接させて配置して幾何学模様を構成した星様、花様、ダイヤ様、多角形様、格子様、ヘリンボーン様の模様型状配列体を形成し、前記模様型状配列体は、複数組で互いに隣接する模様型状配列体に順次配置し、かつ基材上に形成した単位くり返し形状部材となり、前記単位くり返し形状部材は他の単位くり返し形状部材との外周に適合した外周枠体を有する特殊模様に仕上げた幾何学模様装飾表装材にし、前記幾何学模様装飾表装材を広幅な天板を持つテーブル、カウンターの表面材の基本台座に嵌め込んでいることを特徴とする幾何学模様の天板付きテーブル台。
【請求項２】
長方形状、正方形状、三角形状、台形形状，菱形形状の樹脂製タイルの表面仕上げ材は、透明ポリ塩化ビニルと装飾板材とポリ塩化ビニル基体とを含む積層体であり、前記積層体の表層に当たる装飾体は０．１〜０．３ｍｍの天然木製突板、或いは種々色彩、模様にプリントしたポリエステル樹脂にして、前記樹脂製タイルの表面仕上げ材の厚さを２〜５ｍｍにした長方形状、正方形状、三角形状、台形形状、菱形形状の各寸法は、最大長さを２００ｍｍ、最小長さを２０ｍｍにしていることを特徴とする請求項１に記載の幾何学模様の天板付きテーブル台。
【請求項３】
長方形状、正方形状、三角形状、台形形状、菱形形状の樹脂製タイルの表面仕上げ材は、各形状を各辺で幾何学模様を形成して隣接させて数個配列して、星様形、花様形、ダイヤ様形、多角様形、格子様形、ヘリンボーン様形の模様型状配列体を構成し、前記模様型状配列体を正方形、長方形、多角形の枠体中に１〜１００個配置・組み入れした幾何学模様装飾表装材にして、前記幾何学模様装飾表装材の表面全体を１０〜５０μｍ厚さのウレタン塗装を施していることを特徴とする請求項１、又は請求項２に記載の幾何学模様の天板付きテーブル台。
【請求項４】
前記模様型状配列体で仕上げた幾何学模様装飾表装材は、テーブル、カウンターの表面材に嵌め込む基本台座である木質基盤を取り付け、前記木質基盤は、厚さ１０〜４０ｍｍ、幅８００〜９５０ｍｍ、長さ８００〜２０００ｍｍの板材であって、比重として０．５〜０．８、吸水による膨張率１〜２％の木質基盤の板材であるＭＤＦ，パーテクルボード、合板から選ばれたもので、前記幾何学模様装飾表装材とテーブル基本台座である木質基盤の板材との接合には接着剤を使用して、前記幾何学模様装飾表装材を嵌め込んだ周囲のテーブル縁板材表面はウレタン塗装を行なっていることを特徴とする請求項１〜請求項３のいずれかに記載のタイル模様の天板付きテーブル台。
【考案の詳細な説明】
【技術分野】
【０００１】この考案は、テーブル天板の表面が、樹脂タイルによる特殊模様仕上げ表装材を使用した幾何学装飾模様をもつ幾何学模様の天板付きテーブル台に関する。
【背景技術】
【０００２】従来、節のある木材は、節の無い木材に比べて一般的には品質が落ちるものとされ、特に家具のように、木材の木肌をそのまま見せる部分では、節のない木材を選ぶか、節をかくした材料を使用して、家具の表面を装飾している（特許文献１参照）。【０００３】  しかし、木製材の表面に透明な塗装を施し、透明塗装後の木製材の表面を無秩序に削ることにより微細な凹凸を形成して乱反射面とする効果を使用して、意匠性を持たせるものを提供されている（特許文献２参照）。
ヘリンボーン（杉あや模様または矢はず組み）仕上げ用表装材に関し、例えば建築物の内外装表面、床面、門柱その他に適用して容易にヘリンボーン仕上げを可能にする。【０００４】  従来、建築物の内外装面、床面、門柱等を石材によりヘリンボーン仕上げすることが行なわれている。ヘリンボーン仕上げとは、所定の長辺長さを有する長方形状の一対の石材片を一方の石材片の短辺を他方の石材片の長辺の端部に隣接させてへの字状に配列したものを順次上下方向および横方向に配列して仕上げ面に貼り付けることにより表装仕上げを行なうものである。ヘリンボーン仕上げは、耐久性に優れかつ豪華な印象を与える仕上げを可能にする。前記石材片としては各種石材を長方形状に切削したもの、タイルその他が使用される。【０００５】  このようなヘリンボーン仕上げを行なうためには、従来、所定の長方形状を有する石材をモルタル等によって１枚ずつ仕上げ面に固定することによって行なっていた。すなわち、このヘリンボーン仕上げでは、長方形状を有する石材片を各対ごとにそれぞれへの字状配列を構成するよう順次貼り付けて行く必要がある。しかしながら、石材片を１個１個このような配列で貼り付ける作業は熟練を要すると共に、手間がかかりかつ作業時間が長くなるという不都合があった。このため、工期や施工コストの点で他の表装材による仕上げの場合と比較して不利になることもあった。【０００６】リビングルームや寝室等に配置される家具の機能をそのまま保持して該家具の装飾性を高め、居住空間を美しく演出することを課題として、テーブルの天板及び脚部を透明な樹脂で成形すると共に、これらの内部に物品収納スペースを設けて、該スペースにドライフラワーやポプリ等を収納する。また、適宜小さい通気孔を穿設して芳香剤を収納する。これにより、収納されたドライフラワー等の彩りで居住空間が美しく演出され、また芳香によって安らぎ感が生まれるテーブルが提案されている（特許文献１参照）。簡単に開閉が容易であって、デザイン性に優れているものが望まれている。【０００７】テーブルにおいて、軽量で高剛性のパネル材を用いながら任意平面形状の天板を容易に製造することができるとともにリサイクル性に優れた天板を得るために、平板状とされたパネル材の周囲にアルミニウム等の軽金属製型材からなるフレームを固着してテーブル天板とされるものであって、天板の前縁に装着されるフロントフレームおよび前縁を除く他の周囲に装着されるサイドフレームはその基部の上下面に板厚相当の段差部が形成されていて、上面側の段差部の高段部上に化粧板を当接して上板を含んで接着され、前記フロントフレームには樹脂製のフロントエッジ材が、前記サイドフレームにはサイドエッジ材が嵌着されているものが提案されている（特許文献２参照）。【０００８】摩擦係数が高く滑りにくいと共に、耐摩耗性に優れ、硬質樹脂基材層との接着性にも優れた表面層を有する乗物用テーブル天板において、硬質樹脂の基材層と熱可塑性エラストマーの表面層とが熱融着された複合成形板からなり、該熱可塑性エラストマーの表面層がポリエステル系熱可塑性エラストマー、ポリアミド系熱可塑性エラストマー、及びポリウレタン系熱可塑性エラストマーよりなる群か��選ばれたいずれかの熱可塑性エラストマーを含有すると共に、その表面の最大静摩擦係数が０．５以上である乗物用テーブル天板が提案されている（特許文献３参照）。【０００９】テーブル天板などの材料として利用することで、表面の硬度をあげるための塗料材料として、ガラスビーズの含有量が、塗料の樹脂固形分に対して５０〜１５０重量部である、木材の表面を硬くし、押しキズを防ぐ効果を有する塗料を提供するものである。特に、木質面を生かした、表面硬度の十分な塗料の施工方法を提供している（特許文献４参照）。【００１０】テーブル天板の支持強度が高いとともに、テーブル天板として木製や暖かみのある素材や模様のものを採用した場合でも、意匠的にテーブル天板と調和し且つ体感温度においても近似したテーブル脚を提供するために、テーブル天板の下面に複数本固定してテーブルを形成してなるテーブル脚であって、テーブル天板の下面にネジ止め固定するための金属製取り付板の適所に、金属製杆体からなる構造脚柱を垂下固着するとともに、該構造脚柱の外面長手方向に沿って木製又は合成樹脂製又は金属製の化粧脚柱を取付けていることが提案されている（特許文献５参照）。
【先行技術文献】
【特許文献】
【００１１】
【特許文献１】実用新案登録第３０２６２７７号公報
【特許文献２】特開２００３−１７４９３５号公報
【特許文献３】特開平１１−２５３２４４号公報
【特許文献４】特開平１０−１０１９７３号公報
【特許文献５】特開平０８−１１７０３３号公報
【考案の概要】
【考案が解決しようとする課題】
【００１２】  本考案は、上述のような長方形状などを有する樹脂材等を用いた樹脂製タイルの表面仕上げ材を各辺で隣接させて配置して幾何学模様を構成した星様、花様、ダイヤ様、多角形様、ヘリンボーン様の模様型状配列体を、テーブルの天板の要望する模様を熟練を要することなく、かつ短時間でデザイン的な模様を製作することができるようにすることを目的とする。【００１３】従来、リビングルーム、ダイニングルームなどに使用されるテーブル台、カウンター台の天板の表面は、デザイン性が望ませ、今までにない意匠を持って、物品を置いても傷がつき難いものが必要とされている。特に鏡面的光沢をもって、表面に装飾性の模様を呈した意匠性を持ったテーブル台、カウンター台には非常に関心度が高いものである。またリビングルーム、キッチンルームの部屋内に置く場合には装飾性とともに、重量感を持つことが、期待されている。しかし簡単に幾何学模様替えできるようなテーブル家具が期待されている。それらの点から幾何学模様の木質などの装飾性を備えて、広範囲な応用できるテーブル台、カウンター台の天板付きテーブルを提供する。【００１４】このように、擦り傷がつき難い鏡面性表面を持つテーブル、カウンターの家具などにおける，テーブル、カウンターの天板、特に表面の状態と装飾については、使用者によって異なる様々な要望があるにもかかわらず、従来の据え付け、樹脂製タイルの表面仕上げ材を各辺で隣接させて配置して幾何学模様を構成した星様、花様、ダイヤ様、多角形様、格子様、ヘリンボーン様の模様型状配列体を形成し、テーブル表面に装飾性の模様を呈した意匠性を持ち、しかも重量感を持つ表面を持つテーブル、カウンターの家具では存在していない。とくに特殊な装飾性を持って木質などの幾何学模様での装飾性を備えており、使用時に安全性に、操作性で問題のない幾何学模様の仕上げ用表装材のテーブル、カウンターの天板台付き家具を提供することにある。
【課題を解決するための手段】
【００１５】長方形状、正方形状、三角形状、台形形状、菱形形状の樹脂製タイルの表面仕上げ材を各辺で隣接させて配置して幾何学模様を構成した星様、花様、ダイヤ様、多角形様、格子様、ヘリンボーン様の模様型状配列体を形成し、前記模様型状配列体は、複数組で互いに隣接する模様型状配列体に順次配置し、かつ基材上に形成した単位くり返し形状部材となり、前記単位くり返し形状部材は他の単位くり返し形状部材との外周に適合した外周枠体を有する特殊模様に仕上げた幾何学模様装飾表装材にし、前記幾何学模様装飾表装材を広幅な天板を持つテーブル、カウンターの表面材の基本台座に嵌め込んでいることを特徴とする幾何学模様の天板付きテーブル台。【００１６】長方形状、正方形状、三角形状、台形形状，菱形形状の樹脂製タイルの表面仕上げ材は、透明ポリ塩化ビニルと装飾板材とポリ塩化ビニル基体とを含む積層体であり、前記積層体の表層に当たる装飾体は０．１〜０．３ｍｍの天然木製突板、或いは種々色彩、模様にプリントしたポリエステル樹脂にして、前記樹脂製タイルの表面仕上げ材の厚さを２〜５ｍｍにした長方形状、正方形状、三角形状、台形形状、菱形形状の各寸法は、最大長さを２００ｍｍ、最小長さを２０ｍｍにしていることを特徴とする請求項１に記載の幾何学模様の天板付きテーブル台。【００１７】長方形状、正方形状、三角形状、台形形状、菱形形状の樹脂製タイルの表面仕上げ材は、各形状を各辺で幾何学模様を形成して隣接させて数個配列して、星様形、花様形、ダイヤ様形、多角様形、格子様形、ヘリンボーン様形の模様型状配列体を構成し、前記模様型状配列体を正方形、長方形、多角形の枠体中に１〜１００個配置・組み入れした幾何学模様装飾表装材にして、前記幾何学模様装飾表装材の表面全体を１０〜５０μｍ厚さのウレタン塗装を施している。【００１８】前記模様型状配列体で仕上げた幾何学模様装飾表装材は、テーブル、カウンターの表面材に嵌め込む基本台座である木質基盤を取り付け、前記木質基盤は、厚さ１０〜４０ｍｍ、幅８００〜９５０ｍｍ、長さ８００〜２０００ｍｍの板材であって、比重として０．５〜０．８、吸水による膨張率１〜２％の木質基盤の板材であるＭＤＦ，パーテクルボード、合板から選ばれたもので、前記幾何学模様装飾表装材とテーブル基本台座である木質基盤の板材との接合には接着剤を使用して、前記幾何学模様装飾表装材を嵌め込んだ周囲のテーブル縁板材表面はウレタン塗装を行なっている。
【考案の効果】
【００１９】  以上のように、本考案によれば、従来特殊形状を有するタイル等の仕上げ材を１個１個手作業によって現場で貼り付けていた幾何学模様の星様、花様、ダイヤ様、多角形様、ヘリンボーン様の模様型状配列体を形成して意匠的に仕上げたテーブル台、カウンター台が得られて、今までにない模様型状配列テーブルが得られる。またタイル等の仕上げ材の組み立ては熟練を要することなく、極めて短時間で施工することができ、工期の短縮および施工コストの大幅な低減を図ることで、種々の幾何学模様のデザインが得られることになる。また、各仕上げ材が木質基板で固定されているため仕上げ面のはがれ等を防ぐことができ、ウレタン塗装によって強固な仕上げを行なうことが可能になる。【００２０】鏡面的光沢をもって、表面に装飾性の模様を呈した意匠性を持ったテーブル台、カウンター台が得られて、リビングルーム、キッチンルームの部屋内に置く場合には装飾性とともに、重量感を持つことができた。またテーブル、カウンターを移動させることによって簡単に模様替えできた。さらにテーブル、カウンターの移動性もよい幾何学模様を呈するテーブル、カウンターの家具あるので、物品の接触、打撃によっても傷がつき難く、長期間に維持した。それらの点から木質などの装飾性を備えて、広範囲な応用できるテーブル台、カウンター台などの広幅型天板台付き家具として提供できた。
【図面の簡単な説明】
【００２１】
【図１】幾何学模様の天板付小型テーブル台の斜視図
【図２】幾何学模様の天板付きテーブル台の幾何学模様組立基本材である部品タイルの図  Ａ：長方形状、Ｂ：正方形状、Ｃ：三角形状、Ｄ：台形形状，Ｅ：菱形形状
【図３】幾何学模様の天板付きテーブル台の幾何学模様と構成する組立部品タイルの種類図  Ａ：組立構成図  Ｂ：組立部品と個数
【図４】幾何学模様の天板付きテーブル台の幾何学模様構成する組立部品タイルの積層体の構造の図  Ａ：三角形状の積層体  Ｂ：積層体の構成図
【図５】幾何学模様の天板付きテーブル台の幾何学模様における種類の図  Ａ：ヘリーボン模様  Ｂ：ダイヤ模様  Ｃ：多角模様  Ｄ：格子模様
【図６】幾何学模様の天板付き大型テーブル台の斜視図
【考案を実施するための形態】
【００２２】  図面を参照して本考案の実施形態につき説明する。図１〜図５は、本考案の一実施形態に係わる樹脂タイルよって幾何学模様に仕上げ用表装材の概略の構成を示すことを以下に記述するものである。
【００２３】  この実施形態に係わるヘリンボーン仕上げ用表装材は、図１に示されるように、所定の長辺長さを有する長方形状の表面仕上げ材（以後、単に仕上げ材と称する）２をネット基材部４（図２）の上に所定の配列で固定配置して形成される。
【実施例１】
【００２４】図２に示すように長方形状、正方形状、三角形状、台形形状、菱形形状の樹脂製タイルの表面仕上げ材部品タイルを各辺で隣接させて配置して幾何学模様を構成した略花様の模様型状配列体を形成し、図１、図３に示すように前記配列体を複数組、互いに隣接する配列体を隣接させて順次配置し、かつ基材上に形成した単位くり返し形状部材からなり、前記単位くり返し形状部材は他の単位くり返し形状部材の外周に適合した外周枠体を有する特殊模様に仕上げた幾何学模様装飾表装材を、広幅な天板を持つテーブルの表面材に張っているテーブル台の基本台座に嵌め込んでいる幾何学模様の天板付きテーブル台であった。【００２５】図４に示すように長方形状、正方形状、三角形状、台形形状，菱形形状の樹脂製タイルの表面仕上げ材は、透明ポリ塩化ビニルと装飾板材とポリ塩化ビニル基体とを含む積層体であって、装飾体は０．１ｍｍの天然木製突板、或いは種々色彩、模様にプリントしたポリエステル樹脂であって、前記樹脂製タイルの表面仕上げ材の厚さは、５ｍｍであって、長方形状、正方形状、三角形状、台形形状、菱形形状の各寸法は、最大長さを２００ｍｍ、最小長さを２０ｍｍにした。【００２６】図３に示すように、長方形状、正方形状、三角形状、台形形状、菱形形状の樹脂製タイルの表面仕上げ材部品タイルは、各形状を各辺で幾何学模様を形成して隣接させて数個配列して、花様形の模様型状配列体を構成し、前記型状配列体を正方形、長方形、多角形の枠体中に６８個配置・組み入れした幾何学模様装飾表装材にして、前記装飾表装材の表面全体を３０μｍ厚さのウレタン塗装を施した。【００２７】図１に示すように前記型状配列体で仕上げた幾何学模様装飾表装材は、テーブル木質基板の周囲に枠体を取り付け、前記木質基盤平板は、厚さ４０ｍｍ、幅８００ｍｍ、長さ８００ｍｍであって、吸水による膨張率１〜２％の木質基盤板材の合板で、前記幾何学模様装飾表装材と木質基盤板材との接合には接着剤を使用して、前記幾何学模様装飾表装材を嵌め込んだ周囲のテーブル縁板材表面はウレタン塗装を行なった。今までない模様の天板付きテーブルになった。
【実施例２】
【００２８】図２に示すように長方形状、正方形状、三角形状、台形形状、菱形形状の樹脂製タイルの表面仕上げ材部品タイルを各辺で隣接させて配置して幾何学模様を構成した略花様の模様型状配列体を形成し、前記配列体を複数組、互いに隣接する配列体を隣接させて順次配置し、かつ基材上に形成した単位くり返し形状部材からなり、前記単位くり返し形状部材は他の単位くり返し形状部材の外周に適合した外周枠体を有する特殊模様に仕上げた幾何学模様装飾表装材を、図６に示すように広幅な天板を持つテーブルの表面材に張っているテーブル台の基本台座に嵌め込んでいる３種類の幾何学模様の天板付きテーブル台であった。【００２９】図４に示すように長方形状、正方形状、三角形状、台形形状，菱形形状の樹脂製タイルの表面仕上げ材は、透明ポリ塩化ビニルと装飾板材とポリ塩化ビニル基体とを含む積層体であって、装飾体は０．１ｍｍの天然木製突板、或いは種々色彩、模様にプリントしたポリエステル樹脂であって、前記樹脂製タイルの表面仕上げ材の厚さは、５ｍｍであって、長方形状、正方形状、三角形状、台形形状、菱形形状の各寸法は、最大長さを２００ｍｍ、最小長さを２０ｍｍにした。【００３０】図２に示すように、長方形状、正方形状、三角形状、台形形状、菱形形状の樹脂製タイルの表面仕上げ材部品タイルは、各形状を各辺で幾何学模様を形成して隣接させて数個配列して、花様形、ダイヤ様形、多角様形の３種類の模様型状配列体を構成し、前記型状配列体を正方形、長方形、多角形の枠体中に約３０〜７０個配置・組み入れした３種類の幾何学模様装飾表装材にして、前記装飾表装材の表面全体を２０μｍ厚さのウレタン塗装を施した。【００３１】図１に示すように前記型状配列体で仕上げた幾何学模様装飾表装材は、テーブル木質基板の周囲に枠体を取り付け、前記木質基盤平板は、厚さ４０ｍｍ、幅９００ｍｍ、長さ２０００ｍｍであって、吸水による膨張率１〜２％の木質基盤板材の合板で、前記幾何学模様装飾表装材と木質基盤板材との接合には接着剤を使用して、前記幾何学模様装飾表装材を嵌め込んだ周囲のテーブル縁板材表面はウレタン塗装を行なった。図６に示すように今までない模様の天板付きテーブルになった。
【実施例３】
【００３２】長方形状、正方形状、三角形状、台形形状、菱形形状の樹脂製タイルの表面仕上げ材を各辺で隣接させて配置して幾何学模様を構成した星様、花様、ダイヤ様、多角形様、ヘリンボーン様の模様型状配列体を形成し、前記配列体を複数組、互いに隣接する配列体を隣接させて順次配置し、かつ基材上に形成した単位くり返し形状部材からなり、前記単位くり返し形状部材は他の単位くり返し形状部材の外周に適合した外周枠体を有する特殊模様に仕上げた幾何学模様装飾表装材を、広幅な天板を持つテーブル、カウンターの表面材に張っているテーブル台、カウンター台の基本台座に嵌め込んでいる幾何学模様の天板付きテーブル台である。【００３３】  長方形状、正方形状、三角形状、台形形状，菱形形状の樹脂製タイルの表面仕上げ材は、透明ポリ塩化ビニルと装飾板材とポリ塩化ビニル基体とを含む積層体であって、装飾体は０．１〜０．３ｍｍの天然木製突板、或いは種々色彩、模様にプリントしたポリエステル樹脂であって、前記樹脂製タイルの表面仕上げ材の厚さは、２〜５ｍｍであって、長方形状、正方形状、三角形状、台形形状、菱形形状の各寸法は、最大長さを２００ｍｍ、最小長さを２０ｍｍにしている。【００３４】長方形状、正方形状、三角形状、台形形状、菱形形状の樹脂製タイルの表面仕上げ材は、各形状を各辺で幾何学模様を形成して隣接させて数個配列して、星様形、花様形、ダイヤ様形、多角様形、ヘリンボーン様形の模様型状配列体を構成し、前記型状配列体を正方形、長方形、多角形の枠体中に１〜１００個配置・組み入れした幾何学模様装飾表装材にして、前記装飾表装材の表面全体を１０〜５０μｍ厚さのウレタン塗装を施している。【００３５】前記型状配列体で仕上げた幾何学模様装飾表装材は、テーブル木質基板に取り付け、前記木質基盤平板は、厚さ１０〜４０ｍｍ、幅８００〜９５０ｍｍ、長さ１０００〜２０００ｍｍであって、比重として０．５〜０．８、吸水による膨張率１〜２％の木質基盤板材で、ＭＤＦ，パーテクルボード、合板から選ばれたもので、前記幾何学模様装飾表装材と木質基盤板材との接合には接着剤を使用して、前記幾何学模様装飾表装材を嵌め込んだ周囲のテーブル縁板材表面はウレタン塗装を行なっている。
【符号の説明】
【００３６】１．幾何学模様の天板
２．テーブル
３．長方形状樹脂製タイル
４．正方形状樹脂製タイル
５．三角形状樹脂製タイル
６．菱形形状樹脂製タイル
７．台形形状樹脂製タイル
８．幾何学模様
９．配列体
１０．外周枠体
１１．脚
１２．木質基盤
１３．ウレタン系塗装
１４．透明ポリ塩化ビニル
１５．装飾突板板材
１６．特殊シート
１７．ポリ塩化ビニル基体
１８．積層体
１９．ポリエステル材
２０．幾何学模様装飾表装材
２１．天板
【図１】
0003228940.tif 000003
【図２】
0003228940.tif 000004
【図３】
0003228940.tif 000005
【図４】
0003228940.tif 000006
【図５】
0003228940.tif 000007
【図６】
0003228940.tif 000008